(57)【要約】      （修正有）【課題】怪我をすることなく、安心して扱うことができるテーブル用折畳み支脚におけるＶ字型ステーのロック装置を提供する。【解決手段】プラスチック製の基板Ａと、基板に重合する断面逆Ｕ字型のプラスチック製の被覆体Ｂとよりなり、基板上面の左右両側には略全長に亘って突縁４を形成し、この突縁間の後部には傾斜縁５を突設し、被覆体における左右両側壁８の下縁と基板の突縁とにより、コ字型の折畳み支脚のＶ字型ステーＤの屈折部１０が前後に摺動するガイド孔９を形成し、被覆体内には操作レバー１１の中間部を軸着して、ばね１２により前端を基板上に圧接させ、操作レバーのボタン１３を被覆体上面の窓孔１４より突出させ、ガイド孔の前端には、Ｖ字型ステー屈折部の挟持部を形成し、ガイド孔の後端には、Ｖ字型ステー屈折部の保持部１７を形成した。【選択図】図５
0003194395.tif 000002
【実用新案登録請求の範囲】
【請求項１】
前後両端にテーブルの下面に固定するプラスチック製の基板と、該基板に重合する断面逆Ｕ字型のプラスチック製の被覆体とよりなり、上記基板の前後両端には取付け孔を穿設した固定片を設け、上面の左右両側には略全長に亘って突縁を形成し、この突縁間の後部には傾斜縁を突設し、前記被覆体の前後両端には基盤の取付け孔に合致する取付け孔を穿設した固定片を設け、被覆体における左右両側壁の下縁と前記基板の突縁とにより、コ字型の折畳み支脚のＶ字型ステーの屈折部が前後に摺動するガイド孔を形成し、被覆体内には操作レバーの中間部を軸着して、ばねにより前端を基板上に圧接させ、操作レバーの上端に形成したボタンを被覆体の上面に形成した窓孔より突出させ、前記ガイド孔の前端には、操作レバーの下端により遮断されたＶ字型ステーの屈折部の挟持部を形成し、ガイド孔の後端には、基板上の傾斜縁と被覆体における左右両側壁の下縁に形成した傾斜縁とにより、Ｖ字型ステーの屈折部の保持部を形成したことを特徴とするテーブル用折畳み支脚におけるＶ字型ステーのロック装置。
【考案の詳細な説明】
【技術分野】
【０００１】
本考案は、テーブルの下面に取り付けたコ字型の折畳み支脚におけるＶ字型ステーのロック装置に関する。
【背景技術】
【０００２】
実開昭５５−１７３９３０号公報には、机の下面に取り付けた左右一対のコ字型の折畳み支脚を起伏自在に支持するＶ字型ステーの屈折基部を、机の下面に固定した固定支持具の案内孔に摺動自在に支持させ、この案内孔の前端にはコ字型の折畳み支脚の屈折部を保持して支脚の起立状態を維持するための固定手段を設けた机の折畳み式脚が開示されている。
【０００３】
上記固定支持具は、この種の一般のものと同様に、帯状の金属板を断面Ｕ字型にプレス加工により切断し成形すると共に、形成された両側板の略全長に亘って案内孔を同時成形したものであって、固定手段であるレバー操作の際に、誤って両側板の上縁を擦って手に怪我をするとか、レバーと両側板との間に指を挟んで怪我をすることがあった。
【先行技術文献】
【特許文献】
【０００４】
【特許文献１】実開昭５５−１７３９３０号公報
【考案の概要】
【考案が解決しようとする課題】
【０００５】
本考案は、怪我をすることなく、安心して扱うことができるテーブル用折畳み支脚におけるＶ字型ステーのロック装置を提供することを目的としている。
【課題を解決するための手段】
【０００６】
本考案に係る請求項１のテーブル用折畳み支脚におけるＶ字型ステーのロック装置は、前後両端にテーブルの下面に固定するプラスチック製の基板と、該基板に重合する断面逆Ｕ字型のプラスチック製の被覆体とよりなり、上記基板の前後両端には取付け孔を穿設した固定片を設け、上面の左右両側には略全長に亘って突縁を形成し、この突縁間の後部には傾斜縁を突設し、前記被覆体の前後両端には基盤の取付け孔に合致する取付け孔を穿設した固定片を設け、被覆体における左右両側壁の下縁と前記基板の突縁とにより、コ字型の折畳み支脚のＶ字型ステーの屈折部が前後に摺動するガイド孔を形成し、被覆体内には操作レバーの中間部を軸着して、ばねにより前端を基板上に圧接させ、操作レバーの上端に形成したボタンを被覆体の上面に形成した窓孔より突出させ、前記ガイド孔の前端には、操作レバーの下端により遮断されたＶ字型ステーの屈折部の挟持部を形成し、ガイド孔の後端には、基板上の傾斜縁と被覆体における左右両側壁の下縁に形成した傾斜縁とにより、Ｖ字型ステーの屈折部の保持部を形成したことを特徴としている。
【０００７】
本考案に係る請求項１のテーブル用折畳み支脚におけるＶ字型ステーのロック装置は、テーブルの下面に左右一対のコ字型の折畳み支脚を起伏自在に装着し、このコ字型の折畳み支脚における前後の支脚に両端を枢着されたＶ字型ステーの屈折部を、基盤と被覆体とにより形成された前後に長いガイド孔に摺動自在に嵌合した後、基盤と被覆体との固定片をテーブルの下面にネジ止めする。ネジ止めする位置は、コ字型の折畳み支脚が起立したときＶ字型ステーの屈折部がガイド孔の前端で停止し、コ字型の折畳み支脚がテーブルの下面に伏倒したときＶ字型ステーの屈折部がガイド孔の後端で停止する位置である。
【０００８】
このようにテーブルの下面に装着したコ字型の折畳み支脚の樹立状態において、被覆体の窓孔から突出したボタンを押し、操作レバーの下端を上昇させてガイド孔の遮断を解除した後、コ字型の折畳み支脚をテーブルの下面に倒すと、Ｖ字型ステーの屈折部はガイド孔の後部に達し、上向きに形成した屈折部の保持部に嵌入し、コ字型の折畳み支脚は伏倒状態を保持される。
【０００９】
テーブルの下面に伏倒したコ字型の折畳み支脚を起こすと、Ｖ字型ステーの屈折部がガイド孔を前方に摺動し、操作レバーの下端をばねに抗して押し上げてガイド孔の前端に達し、ガイド孔の前端と、ばねにより下降した操作レバーの下端とにより形成された挟持部に保持され、折畳み支脚は樹立状態を維持される。
【考案の効果】
【００１０】
本考案に係る請求項１のテーブル用折畳み支脚におけるステーのロック装置は、従来の装置と同様に、操作レバーによりコ字型の折畳み支脚の起立状態及び伏倒状態が確実に維持されるものである。
【００１１】
殊に本考案のロック装置は、基板と被覆体をプラスチックにより成形し、被覆体を断面逆Ｕ字型に形成すると共に、操作レバーを被覆体内に設け、被覆体に形成した窓孔から操作レバー用のボタンのみを突出させたから、レバー操作が解り易く、またボタン操作時に指を挟んだり、テーブルの取り扱い時に被覆体を強く掴むことがあっても、手を傷めたりする虞がなく、子供にも安心して扱わせることができる。
【００１２】
また被覆体における左右両側壁の下縁と、基板の突縁とにより形成されたガイド孔により、コ字型の折畳み支脚を支持したＶ字型ステーの屈折部が案内されて、前後に軽快に移動するように構成したから、コ字型の折畳み支脚の起伏が極めて容易である。
【図面の簡単な説明】
【００１３】
【図１】本考案に係るテーブル用折畳み支脚におけるＶ字型ステーのロック装置の実施形態を示す正面図である。
【図２】同上実施形態の平面図である。
【図３】図１に示すＸ−Ｘ線の拡大断面図である。
【図４】図２に示すＹ−Ｙ線の拡大断面図である。
【図５】同上実施形態のテーブルへの取付け状態を示す縦断面図である。
【図６】同上実施形態の使用状態を示す正面図である。
【図７】同上実施形態の使用状態を示す底面図である。
【考案を実施するための形態】
【００１４】
以下、本考案に係る請求項１のテーブル用折畳み支脚におけるＶ字型ステーのロック装置の実施形態を図１〜図７を参照して詳細に説明する。
【００１５】
符号Ａは前後両端にテーブル１の下面に固定するプラスチック製の基板であり、前後両端に取付け孔２を穿設した固定片３を設け、上面の左右両側には略全長に亘って突条４を形成し、この突縁４間の後部に傾斜縁５を突設している。
【００１６】
符号Ｂは基板ａに重ねた断面逆Ｕ字型のプラスチック製の被覆体であり、前後両端に基盤Ａの取付け孔２に合致する取付け孔６を穿設した固定片７を設け、この固定片７の外周には、基板Ａの固定片３の外周に嵌合する突縁７ａを設けている。
【００１７】
上記被覆体Ｂにおける左右両側壁８の下端の略全長に亘って形成した切欠き８ａと基板Ａの突条４とによりガイド孔９を形成し、このガイド孔９にテーブル１の下面に起伏自在に取付けたコ字型の折畳み支脚Ｃを支持するＶ字型ステーＤの屈折部１０を、前後に摺動自在に嵌入している。この屈折部１０は、図５に示すようにガイド孔９を移動自在に貫通した水平軸１０ａに、基板Ａ上を転動するローラ１０ｂを嵌合している。
【００１８】
被覆体Ｂ内には、操作レバー１１の中間部を軸着すると共に、この軸着部には、コイルばね１２により前端を基板Ａ上に圧接させ、ガイド孔９の前端部を遮断している。  また操作レバー１１の上端にはボタン１３を設け、これを被覆体Ｂの上面１３に形成した窓孔１４より上方へ突出させている。尚ガイド孔９の前端には操作レバー１１の下端との間にＶ字型ステーＤの屈折部１０の挟持部１５を形成し、ガイド孔９の後端には基板Ａの傾斜縁５と被覆体Ｂ内に垂設した突片１６とにより、Ｖ字型ステーＤにおける屈折部１０の保持部１７を形成している。
【００１９】
基板Ａに被覆体Ｂを重ねながら、基板Ａの突条４と被覆体Ｂにおける左右両側壁８の切欠き８ａとの間に、Ｖ字型ステーＤの屈折部１０を貫通させ、屈折部１０のローラ１０ｂを基板上に載置して、基板Ａの前後に設けた固定片３に被覆体Ｂの前後に設けた固定片７を重ね、且つ固定片７の外周に設けた突縁７ａを固定片３の外周に嵌合して、ガイド孔９が形成された基板Ａと被覆体Ｂとを一体化した後、図５に示すように固定片３，７の取付け孔２，６を用いてテーブル１の下面にネジ止めする。
【００２０】
図５乃至図７に示すように、コ字型の折畳み支脚Ｃが起立した状態において、ボタン１３を押して操作レバー１１の下端を上昇させ、折畳み支脚Ｃを倒すと、Ｖ字型ステーＤにおける屈折部１０のローラ１０ｂは挟持部１５からガイド孔９の後方へ転動し、図５に鎖線で示すように、後端の上向きに傾斜した保持部１７に保持され、折畳み支脚Ｃはテーブル１の下面に伏倒状態で安定する。
【００２１】
テーブル１の下面に伏倒した折畳み支脚Ｃを起こすと、屈折部１０のローラ１０ｂは、保持部１７からガイド孔９を前方に摺動し、操作レバー１１の下端に衝突すると、この下端を押し上げて通過し、屈折部１０のローラ１０ｂは図５に実線で示すように挟持部１５に保持され、折畳み支脚Ｃは樹立状態で安定する。
【００２２】
上記実施形態にあっては、折畳み支脚Ｃの樹立状態において、ボタン１３を押さない限り、折畳み支脚Ｃが伏倒する虞がなく、従ってテーブル１が勝手に倒れるようなことがない。
【００２３】
基板Ａと被覆体Ｂはプラスチック製で、しかも被覆体Ｂは断面形状が逆Ｕ字型であり、表面にはボタン１３のみが突出しているため、操作が容易であり、操作時に指を挟んだり、傷付けたりする虞がない。
【００２４】
またガイド孔９は、被覆体Ｂにおける左右両側壁８の切り欠き８ａと、基板Ａの突状４とにより滑らかに形成され、基板の上面も平坦に形成されているため、Ｖ字型ステーＤの屈折部１０を軽快に移動させることができる。
【００２５】
更に被覆体Ｂにおける固定片７の外周には、基板Ａにおける固定片３の外周に嵌合する突縁７ａを設けたから、基板Ａへの被覆体Ｂの組み合わせ、テーブル１の下面への正確な固定ができる。
【符号の説明】
【００２６】
Ａ        基  板
Ｂ        被覆体
Ｃ        折畳み支脚
Ｄ        Ｖ字型のステー
１        テーブル
２        取付け孔
３        固定片
４        突  条
５        傾斜縁
６        取付け孔
７        固定片
８        左右両側壁
８a        切欠き
９        ガイド孔
１０      屈折部
１１      操作レバー
１２      コイルばね
１３      ボタン
１４      窓  孔
１５      挟持部
１６      突片
１７      保持部
【図１】
0003194395.tif 000003
【図２】
0003194395.tif 000004
【図３】
0003194395.tif 000005
【図４】
0003194395.tif 000006
【図５】
0003194395.tif 000007
【図６】
0003194395.tif 000008
【図７】
0003194395.tif 000009